(57)【要約】【課題】  機構を複雑にすることなく確実に消火できるようにするとともに外観品質の向上を図る。【解決手段】  底壁とこの底壁に立設される側壁とにより形成され練炭や木炭等の固形燃料Ｆを燃焼させるための燃焼室Ｒを有したコンロ本体２０と、コンロ本体２０を支持する受け体３０と、受け体３０に着脱可能に設けられ受け体３０に支持されるコンロ本体２０を覆って燃焼室Ｒへの空気の流入を遮断する蓋体４０とを備えた。【選択図】  図１
0003103165.tif 000002
【実用新案登録請求の範囲】
【請求項１】
底壁と該底壁に立設される側壁とにより形成され練炭や木炭等の固形燃料を燃焼させるための燃焼室を有したコンロ本体を備えたコンロ装置において、
上記コンロ本体を支持する受け体と、該受け体に着脱可能に設けられ該受け体に支持されるコンロ本体を覆って上記燃焼室への空気の流入を遮断する蓋体とを備えたことを特徴とするコンロ装置。
【請求項２】
上記受け体を、底壁から張り出す外周部を備えて構成し、
上記蓋体を、上記受け体の外周部に接する開口縁を有したボックス状に形成したことを特徴とする請求項１記載のコンロ装置。
【請求項３】
上記受け体の外周部に上記コンロ本体の側壁に対面する立設壁を立設し、上記蓋体の開口縁部を上記コンロ本体の側壁と上記受け体の立設壁との間に挿入しうる構成にしたことを特徴とする請求項２記載のコンロ装置。
【請求項４】
上記外周部に上記蓋体の開口縁が当接するシール部材を設けたことを特徴とする請求項２または３記載のコンロ装置。
【請求項５】
上記受け体の中央に、上記コンロ本体の底壁が露出する孔を設けたことを特徴とする請求項１，２，３または４記載のコンロ装置。
【請求項６】
上記蓋体の上記受け体に対する装着時に、該蓋体を受け体に対してロックするロック機構を設けたことを特徴とする請求項１，２，３，４または５記載のコンロ装置。
【請求項７】
上記蓋体に把手を設けたことを特徴とする請求項６記載のコンロ装置。
【請求項８】
上記受け体に該受け体を支持する脚体を設けたことを特徴とする請求項１，２，３，４，５，６または７記載のコンロ装置。
【請求項９】
底壁と該底壁に立設される側壁とにより形成され練炭や木炭等の固形燃料を燃焼させるための燃焼室を有したコンロ本体を備えたコンロ装置において、
上記コンロ本体を支持する受け体と、該受け体に着脱可能に設けられ該受け体に支持されるコンロ本体を覆って上記燃焼室への空気の流入を遮断する蓋体とを備え、
上記受け体を、底壁から張り出す外周部を備えて構成し、
上記蓋体を、上記受け体の外周部に接する開口縁を有したボックス状に形成し、
上記受け体の外周部に上記コンロ本体の側壁に対面する立設壁を立設し、上記蓋体の開口縁部を上記コンロ本体の側壁と上記受け体の立設壁との間に挿入しうる構成にし、
上記外周部に上記蓋体の開口縁が当接するシール部材を設け、
上記受け体の中央に、上記コンロ本体の底壁が露出する孔を設け、
上記蓋体の上記受け体に対する装着時に、該蓋体を受け体に対してロックするロック機構を設け、
上記蓋体に把手を設け、
上記受け体に該受け体を支持する脚体を設けたことを特徴とするコンロ装置。
【考案の詳細な説明】
【技術分野】
【０００１】
本考案は、練炭や木炭等の固形燃料を投入して燃焼させるための燃焼室を有したコンロ本体を備えたコンロ装置に関する。
【背景技術】
【０００２】
従来、この種のコンロ装置としては、特許文献１（実登３０７１８７２号公報）に記載されたものが知られている。
【０００３】
図５に示すように、このコンロ装置Ｓａは、練炭や木炭等の固形燃料Ｆが入れられる上に開口１ａを有したボックス状の胴部１，胴部１を載せる受け皿８，胴部１の開口１ａに設けられる焼き網１０及び開口１ａを覆う蓋９よりなる。
胴部１は、外壁２，この外壁２に上端部で接合された内壁３及び外壁２と内壁３の間に装填された断熱材４からなる。また胴部１の底部には、耐熱性素材からなる火格子５が掛止されている。胴部１の外壁２下端部には、火格子５に連通する複数の通気孔６を備えている。
また、胴部１には吊り手７が装着されている。
受け皿８は、全周にわたって直立する縁部８ａを有し、水を溜めることができる。
蓋９は耐熱性金属板製のもので、胴部１の開口１ａに嵌合して開口１ａを完全に閉鎖できるよう成形されている。
【０００４】
このコンロ装置Ｓａを使用するには、最初に胴部１だけをガスコンロ（図示せず）上に設置し、適量の固形燃料Ｆを火格子５の上に置く。そして、ガスコンロのガス火で固形燃料Ｆに点火し、この固形燃料Ｆが自ら燃焼を維持しうる状態になったならばガス火を止める。次に、吊り手７で胴部１を持ち上げて受け皿８の上に胴部１を載置する。
この後、焼き網１０を胴部１の頂部に載せて炭火焼きを行なう。
調理などが終わってコンロ装置Ｓａの固形燃料Ｆを消火する場合には、まず、胴部１に蓋９を被せる。そして、水差し等を用いて受け皿８の縁部８ａと外壁２との隙間から注水して受け皿８を湛水状態にし、通気孔６を完全に水没させ、胴部１の内部への空気の供給が断つようにする。
【０００５】
【特許文献１】実登３０７１８７２号公報
【考案の開示】
【考案が解決しようとする課題】
【０００６】
ところで、このようなコンロ装置Ｓａにあっては、固形燃料Ｆの消火の際には、胴部１に蓋９をして、受け皿８に水を入れて固形燃料Ｆを消火しているが、その後、片付ける場合に、吊り手７で持ち上げた胴部１から水が垂れて周囲を汚してしまうという問題があった。また、固形燃料Ｆの消火後に残った消し炭を利用するには、使用後の炭が水につからないように通気孔６を閉塞する水の量を計量して受け皿８に入れる必要があり、この作業が煩雑であるという問題もあった。
【０００７】
また、これらの作業を不要にするために、このコンロ装置Ｓａに通気孔６を閉塞するシャッタ機構を別に設け、このシャッタ機構により外部からの空気の供給を停止することも考えられるが、この場合には、別のシャッタ機構を設ける分、構造が複雑になるという問題があった。
更に、胴部１は露出しているので、例えば、焼き網１０上で調理した肉の油や野菜等の食べ物の一部が胴部１の外壁２に付着すると、コンロ装置Ｓａの外観が悪くなってしまうという問題があった。
【０００８】
本考案は上記の問題点に鑑みて為されたもので、機構を複雑にすることなく確実に消火できるようにするとともに外観品質の向上を図ったコンロ装置を提供することを目的とする。
【課題を解決するための手段】
【０００９】
このような目的を達成するための本考案のコンロ装置は、底壁と該底壁に立設される側壁とにより形成され練炭や木炭等の固形燃料を燃焼させるための燃焼室を有したコンロ本体を備えたコンロ装置において、上記コンロ本体を支持する受け体と、該受け体に着脱可能に設けられ該受け体に支持されるコンロ本体を覆って上記燃焼室への空気の流入を遮断する蓋体とを備えている。
【００１０】
このコンロ装置を用いるときは、例えば、まず、コンロ装置を地面や机の上等に載置し、燃焼室に固形燃料を入れてこれに着火する。固形燃料に完全に火がついたら、コンロ本体に鉄板，焼き網，フライパン等の調理器具を載置し、この調理器具に食材を載せて、燃焼室の熱によりこの食材を加熱して調理をする。
調理が終了して燃焼室の固形燃料を消す場合は、蓋体でコンロ本体を覆って、受け体及び蓋体によりコンロ本体を密閉する。
【００１１】
この際、コンロ本体が覆われて、外部の空気が燃焼室に流入しなくなり、固形燃料は受け体及び蓋体により形成される空間内の酸素をこの固形燃料自身の燃焼により消費し、この空間の酸素の減少とともに火が消えていく。これにより、固形燃料の消火の際には、単に蓋体を被せるだけで消火でき、従来のものに比較して、水を使わなくても固形燃料が消火されるので、消火の水が垂れて周囲を汚してしまったり、使用後の固形燃料が水に濡れてしまったりする事態が防止される。また、燃焼室に流入する空気を遮断するための特別の機構を設けることなく、固形燃料を消火できるようになるので、機構を複雑にすることなく確実に消火できる。
【００１２】
また、この際、調理中に調理器具上で調理した肉の脂や野菜等の食べ物の一部がコンロ本体に付着しても、コンロ本体が蓋体により覆われて見えなくなっているので、コンロ装置の外観品質の向上を図ることができる。
【００１３】
また、必要に応じ、上記受け体を、底壁から張り出す外周部を備えて構成し、上記蓋体を、上記受け体の外周部に接する開口縁を有したボックス状に形成している。
この場合、固形燃料の消火の際には、蓋体を被せて蓋体の開口縁を受け体の外周部に当接させるだけで、受け体と蓋体とにより確実にコンロ本体を密封できるので、機構を複雑にすることなく確実に消火できる。
【００１４】
更に、必要に応じ、上記受け体の外周部に上記コンロ本体の側壁に対面する立設壁を立設し、上記蓋体の開口縁部を上記コンロ本体の側壁と上記受け体の立設壁との間に挿入しうる構成としている。
この場合、立設壁により蓋体の動きが制限されるので、蓋体が動いて受け体に対してずれる事態が防止され、蓋体の開口縁と受け体の外周部との間に隙間ができにくくなり、コンロ本体の固形燃料の消火が確実に行なわれる。
【００１５】
更にまた、必要に応じ、上記外周部に上記蓋体の開口縁が当接するシール部材を設けている。
この場合、蓋体の開口縁が外周部に当接した際に、シール部材により受け体の外周部と蓋体の開口縁の間に隙間ができ難くなり、受け体と蓋体とにより形成される空間に空気が流入しにくくなるので、コンロ本体の固形燃料の消火が確実に行なわれる。
【００１６】
また、必要に応じ、上記受け体の中央に、上記コンロ本体の底壁が露出する孔を設けている。
この場合、固形燃料の消火中において、コンロ本体の底壁が孔から露出しているので、コンロ本体が冷却されやすくなる。そのため、固形燃料が早く消火される。
【００１７】
そしてまた、必要に応じ、上記蓋体の上記受け体に対する装着時に、該蓋体を受け体に対してロックするロック機構を設けている。
消火もしくは片付けの際には、蓋体をコンロ本体に被せた状態で、この蓋体をロック機構により受け体に対してロックする。この際、蓋体が受け体にロックされて受け体から外れなくなり、受け体と蓋体の間に隙間ができにくくなるとともに受け体と蓋体とにより形成される空間に空気が流入しにくくなるので、コンロ本体の固形燃料の消火が確実に行なわれる。
【００１８】
更に、必要に応じ、上記蓋体に把手を設けている。
この場合、調理が終了して燃焼室の固形燃料を消す際には、蓋体の把手を手で把持し、この蓋体でコンロ本体を覆う。蓋体に把手が設けてあるので、コンロ本体に蓋体を被せ易くなり、それだけ消火が容易になる。また、蓋体を装着した状態で持ち運びできるようになる。
【００１９】
また、必要に応じ、上記受け体に脚体を設けている。
固形燃料の燃焼中は、コンロ装置が載置された箇所から脚体により燃焼室が遠ざけられているので、コンロ装置が載置された場所を傷めずにコンロ装置を使用することができる。
【考案の効果】
【００２０】
本考案のコンロ装置によれば、コンロ本体を支持する受け体と、受け体に着脱可能に設けられ受け体に支持されるコンロ本体を覆って燃焼室への空気の流入を遮断する蓋体とを備えたので、固形燃料の消火の際には、単に蓋体を被せるだけで消火でき、従来のものに比較して、水を使わなくても固形燃料が消火されるので、消火の水が垂れて周囲を汚してしまったり、使用後の固形燃料が水に濡れてしまったりする事態が防止される。また、燃焼室に流入する空気を遮断するための特別の機構を設けることなく、固形燃料を消火できるようになるので、機構を複雑にすることなく確実に消火できる。更に、調理中に肉の脂や野菜等の食べ物の一部がコンロ本体に付着しても、コンロ本体が蓋体により覆われて見えなくでき、コンロ装置の外観品質の向上を図ることができる。
【考案を実施するための最良の形態】
【００２１】
以下、添付図面に基づいて、本考案の実施の形態に係るコンロ装置について詳細に説明する。
【００２２】
図１及び図２には、本考案の実施の形態に係るコンロ装置Ｓを示している。このコンロ装置Ｓの基本的構成は、底壁２１とこの底壁２１に立設される側壁２２とにより形成され練炭や木炭Ｃ等の固形燃料Ｆを燃焼させるための燃焼室Ｒを有したコンロ本体２０を備えてなる。
詳しくは、コンロ本体２０は、長方形状に形成された底壁２１と、この底壁２１の各辺に夫々立設される４つの側壁２２とにより箱状に形成されるとともに、この底壁２１及び側壁２２により形成される燃焼室Ｒを備えている。コンロ本体２０の底壁２１及び４つの側壁２２は、例えば、金属で形成されている。
【００２３】
また、コンロ本体２０の側壁２２には、燃焼室Ｒに連通する複数の通気孔２３が設けられている。この通気孔２３は、円形状に形成され、上端近傍及び下端近傍に夫々１列ずつ列設されている。
更に、コンロ本体２０には、長手方向に相対向する側壁２２の外側にコンロ本体２０を持ち上げるための取手２４が設けられている。
【００２４】
燃焼室Ｒには、この燃焼室Ｒに連通するとともにコンロ本体２０の各側壁２２の上端により形成される開口２０ａから出し入れ可能な火格子２５が備えられている。この火格子２５は、上側に固形燃料Ｆを載置する長方形板状の載置部２６と、この載置部２６の長手方向両端の裏面側に設けられ載置部２６をコンロ本体２０の底壁２１に対して支持する板状の支持部２７とで形成されている。載置部２６には、灰をコンロ本体２０の底壁２１側に落とすとともに、コンロ装置Ｓの通気孔２３から入った空気を載置部２６の上に載置される固形燃料Ｆに供給するための多数の空気孔２８が設けられている。
コンロ本体２０の開口２０ａには、食物を調理するための調理器具が載置される。本考案の実施の形態においては、焼き網２９がコンロ本体２０の開口２０ａに載せられている。
【００２５】
また、このコンロ装置Ｓは、コンロ本体２０を支持する受け体３０と、この受け体３０に着脱可能に設けられ受け体３０に支持されるコンロ本体２０を覆って燃焼室Ｒへの空気の流入を遮断する蓋体４０とを備えている。
受け体３０は、コンロ本体２０と同様の金属で形成され、コンロ本体２０の底壁２１の外側に溶接して設けられている。
また、この受け体３０は、底壁２１から張り出す外周部３１を備えて構成されている。この外周部３１には、側壁２２に対面するよう立設される立設壁３２が設けられている。
また、受け体３０には、この受け体３０を支持する脚体３３が設けられている。この脚体３３は、受け体３０の裏面側の四隅に夫々設けられている。また、この脚体３３は、ヒンジを介して折り畳み可能に設けられている。
更に、受け体３０の中央には、コンロ本体２０の底壁２１が露出する孔３４が設けられている。
【００２６】
蓋体４０は、受け体３０の外周部３１に接する開口縁４３を有したボックス状に形成されている。詳しくは、この蓋体４０は、略長方形状に形成された上面４１と、この上面４１の各辺に夫々立設される４つの側面４２とを備えて構成されている。この蓋体４０の側面４２は、蓋体４０の上面４１がコンロ本体２０の開口２０ａに載置された焼き網２９から所定間隔離間する高さに形成されている。その蓋体４０の開口は、各側面４２により形成されている。
この蓋体４０の開口縁部４３ａは、受け体３０への装着時にコンロ本体２０の側壁２２と受け体３０の立設壁３２との間に挿入されている。
蓋体４０には、その上面４１に把手４４が設けられている。蓋体４０を持ち上げる際には、この把手４４を手で把持して持ち上げる。
【００２７】
更に、図１及び図４に示すように、コンロ装置Ｓには、受け体３０の外周部３１に蓋体４０の開口縁４３が当接するシール部材５０を備えている。このシール部材５０は、例えばガラス繊維等の不燃材で形成されている。
更にまた、コンロ装置Ｓには、蓋体４０の受け体３０に対する装着時に、この蓋体４０を受け体３０に対してロックするロック機構５５が設けられている。このロック機構５５は、受け体３０の長手方向に直交する相対向する立設壁３２の外側に２個ずつ設けられるフック５６と、蓋体４０の長手方向に直交する相対向する側面４２の外側に２個ずつ設けられフック５６に掛止される掛け金５７と、掛け金５７を回動操作により引張してロックするレバー５８とともに引張を弛めてロック解除するレバー５８とを備えて構成されている。
【００２８】
従って、このコンロ装置Ｓを用いるときは、例えば、まず、コンロ装置Ｓを地面や机の上等に載置し、燃焼室Ｒに周知の着火材とともに固形燃料Ｆである例えば木炭Ｃを入れてこれに着火する。
木炭Ｃに完全に火がついたら、コンロ本体２０の開口２０ａに焼き網２９を載置し、この焼き網２９に食材を載せて、燃焼室Ｒの熱によりこの食材を加熱して調理をする。
この際、燃焼室Ｒには、通気孔２３から燃焼室Ｒの外部の空気が供給されてこの空気の酸素を消費して木炭Ｃが燃焼していく。
この木炭Ｃの燃焼中は、コンロ装置Ｓが載置された箇所から脚体３３により燃焼室Ｒが遠ざけられているので、コンロ装置Ｓが載置された場所を傷めずにコンロ装置Ｓを使用することができる。
【００２９】
調理が終了して燃焼室Ｒの木炭Ｃを消す場合は、蓋体４０の把手４４を手で把持し、この蓋体４０でコンロ本体２０を覆う。詳しくは、蓋体４０の開口縁部４３ａを受け体３０の立設壁３２とコンロ本体２０の側壁２２の間に挿入するとともに、蓋体４０の開口縁部４３ａを外周部３１に当接させて、受け体３０及び蓋体４０によりコンロ本体２０を密閉する。
【００３０】
この際、コンロ本体２０が密封されて、通気孔２３または開口２０ａから外部の空気が燃焼室Ｒに流入しなくなり、木炭Ｃは受け体３０及び蓋体４０により形成される空間内の酸素をこの木炭Ｃ自身の燃焼により消費し、この空間の酸素の減少とともに火が消えていく。そのため、木炭Ｃの消火の際には、単にコンロ本体２０に蓋体４０を被せるとともに蓋体４０の開口縁４３を受け体３０の外周部３１に当接させるだけで消火できる。即ち、従来のものに比較して、水を使わなくても木炭Ｃが消火されるので、消火の際の水が垂れて周囲を汚してしまったり、使用後の木炭Ｃが水に濡れてしまったりする事態が防止される。また、通気孔（本考案において通気孔２３にあたる）に特別のシャッタ機構を設けることなく、木炭Ｃを消火できるようになり、機構を複雑にすることなく確実に消火できる。
【００３１】
また、この際、蓋体４０に把手４４が設けてあるので、コンロ本体２０に蓋体４０を被せ易くなり、それだけ消火が容易になる。
更に、この際、立設壁３２により蓋体４０の動きが制限されるので、蓋体４０が動いて受け体３０に対してずれる事態が防止され、蓋体４０の開口縁４３と受け体３０の外周部３１との間に隙間ができにくくなり、コンロ本体２０の木炭Ｃの消火が確実に行なわれる。
更にまた、この場合、シール部材５０が設けられているので、受け体３０の外周部３１と蓋体４０の開口縁４３の間に隙間ができ難くなり、受け体３０と蓋体４０とにより形成される空間に空気が流入しにくくなるので、コンロ本体２０の木炭Ｃの消火が確実に行なわれる。
【００３２】
また、この場合、調理中に焼き網２９上で調理した肉の脂や野菜等の食べ物の一部がコンロ本体２０の側面４２に付着しても、コンロ本体２０が蓋体４０により覆われて見えなくなっているので、コンロ装置Ｓの外観品質の向上を図ることができる。
更に、木炭Ｃの消火中は、コンロ本体２０の底壁２１が孔３４から露出しているので、コンロ本体２０が冷却されやすくなる。そのため、木炭Ｃが早く消火される。
また、蓋体４０の上面４１がコンロ本体２０の開口に載置された焼き網２９から所定間隔離間しているので、この焼き網２９ごとコンロ本体２０を蓋体４０で覆うこともできる。この際、屋外でこのコンロ装置Ｓを使用した際に、木炭Ｃの消火中に焼き網２９上の食べ残しを野良猫等に食い荒らされたりする事態が防止される。
【００３３】
この状態で、掛け金５７をフック５６に掛止して蓋体４０を受け体３０に対してロックする。この際、蓋体４０が受け体３０にロックされて受け体３０から外れなくなり、受け体３０の外周部３１と蓋体４０の開口縁４３の間に隙間ができにくくなるとともに受け体３０と蓋体４０とにより形成される空間に空気が流入しにくくなるので、コンロ本体２０の木炭Ｃの消火が確実に行なわれる。更に、この状態で、蓋体４０の把手４４を把持してこのコンロ装置Ｓを持ち運ぶことができる。この際、木炭Ｃの消火したか消火しないかに関わらずコンロ装置Ｓを持ち運ぶことができるので、消火を待たなくてもよくなり、それだけ、利便性が向上させられる。
【００３４】
木炭Ｃが消火した後、コンロ装置Ｓを片付ける際には、ロック機構５５を解除して蓋体４０を取り外し、燃焼室Ｒ内の消し炭を取り出す。それから、火格子２５を取り出してコンロ本体２０の底部に溜まった灰を取り除き、再び火格子２５を燃焼室Ｒに入れ、蓋体４０でコンロ本体２０を覆い、ロック機構５５により蓋体４０と受け体３０とをロックし、脚体３３を折り畳む。そして、このコンロ装置Ｓを、次に使用するまで保管場所に保管する。
【００３５】
この際、コンロ装置Ｓが倒れる等しても、蓋体４０でコンロ本体２０が覆われているので、燃焼室Ｒ内に取り除ききれないで残った灰が周囲に散らばる事態が防止される。また、脚体３３は折り畳み可能なので、保管スペースをあまり取ることなく保管できる。
コンロ本体２０の燃焼室Ｒに残った消し炭は、使用前と比較して水分が少なく着火し易いので、次回、このコンロ装置Ｓの使用の際に使用するためにこの消し炭を燃焼室Ｒに入れておいてもよい。この場合、このコンロ装置Ｓの保管中は、受け体３０と蓋体４０とによりコンロ本体２０が密封されているので、燃焼室Ｒ内の消し炭が水分を吸収しにくくできる。そのため、次にこのコンロ装置Ｓの使用の際に、この燃焼室Ｒ中の消し炭を用いれば火を付けやすくすることができる。
【００３６】
このコンロ装置Ｓを再び使用する際には、ロック機構５５の留め金をフック５６から外して蓋体４０を受け体３０から取り外し、脚体３３を伸長させ、上記と同様に燃焼室Ｒに固形燃料Ｆを入れてこれに着火し、調理を行なう。この際、前回の使用の際に残った消し炭を種火として使用してもよい。
【図面の簡単な説明】
【００３７】
【図１】本考案の実施の形態に係るコンロ装置を示す半断面図である。
【図２】本考案の実施の形態に係るコンロ装置を示す上方からの分解斜視図である。
【図３】本考案の実施の形態に係るコンロ装置を示す下方からの分解斜視図である。
【図４】本考案の実施の形態に係るコンロ装置の要部を示す断面図である。
【図５】従来のコンロ装置の一例を示す図である。
【符号の説明】
【００３８】
Ｓ  コンロ装置
Ｆ  固形燃料
Ｃ  木炭
Ｒ  燃焼室
２０  コンロ本体
２１  底壁
２２  側壁
２３  通気孔
２４  取手
２５  火格子
２６  載置部
２７  支持部
２８  空気孔
２９  焼き網
３０  受け体
３１  外周部
３２  立設壁
３３  脚体
３４  孔
４０  蓋体
４１  上面
４２  側面
４３  開口縁
４３ａ  開口縁部
４４  把手
５０  シール部材
５５  ロック機構
５６  フック
５７  掛け金
５８  レバー
【図１】
0003103165.tif 000003
【図２】
0003103165.tif 000004
【図３】
0003103165.tif 000005
【図４】
0003103165.tif 000006
【図５】
0003103165.tif 000007